(57)【要約】【課題】肥大化・高コスト化を抑制し得るコネクタを提供すること。【解決手段】コネクタ１は、相手側コネクタ４０の相手側ハウジングと嵌合可能なハウジング１０と、ハウジング１０に保持されると共に、互いに導通接続された複数の端子２１と、ハウジング１０に保持されると共に、複数の端子２１のうち１つ又は複数の一部の端子２１ａに対応するように且つ一部の端子２１ａ以外の１つ又は複数の残りの端子２１ｂに対応しないように配置されて一部の端子２１ａから発生するノイズを低減するノイズ低減部材３０と、を備える。ノイズ低減部材３０は、フェライトを含んで構成される。【選択図】図１
2019067734.tif 000002
【特許請求の範囲】
【請求項１】
相手側コネクタの相手側ハウジングと嵌合可能なハウジングと、
前記ハウジングに保持されると共に、互いに導通接続された複数の端子と、
前記ハウジングに保持されると共に、前記複数の端子のうち１つ又は複数の一部の端子に対応するように且つ前記一部の端子以外の１つ又は複数の残りの端子に対応しないように配置されて前記一部の端子から発生するノイズを低減するノイズ低減部材と、
を備えた、コネクタ。
【請求項２】
請求項１に記載のコネクタにおいて、
前記相手側コネクタは、電気回路を構成する幹線及び支線と接続され、
前記複数の端子のうち２つの端子が、前記相手側ハウジングと前記ハウジングとの嵌合時にて前記幹線と電気的に接続される幹線接続用端子であり、前記２つの端子以外の１つ又は複数の残りの端子が、前記嵌合時にて前記支線と電気的に接続される支線接続用端子であり、
２つの前記幹線接続用端子の双方に対応して前記ノイズ低減部材が配置されず、
１つ又は複数の前記支線接続用端子の一部又は全部に対応して前記ノイズ低減部材が配置される、
コネクタ。
【請求項３】
請求項２に記載のコネクタにおいて、
前記複数の端子のうち前記ノイズ低減部材が配置された複数の前記端子の全てが隣接して配置され、
前記ノイズ低減部材が１つの塊で構成される、
コネクタ。
【請求項４】
請求項１〜請求項３の何れか一項に記載のコネクタにおいて、
前記ノイズ低減部材は、フェライトを含んで構成される、
コネクタ。
【発明の詳細な説明】
【技術分野】
【０００１】
本発明は、互いに導通接続された複数の端子を備えたコネクタに関する。
【背景技術】
【０００２】
従来から、互いに導通接続された複数の端子を保持するハウジングを備えたコネクタが広く知られている。この種のコネクタは、ジョイントコネクタとも呼ばれる。ジョイントコネクタは、典型的には、電気回路を構成する幹線から支線を分岐させるために、幹線及び支線と接続された相手側コネクタと嵌合されて使用される。
【０００３】
このように幹線から支線を分岐させるためにジョイントコネクタが使用される場合、主として、端末抵抗が幹線より大きい支線にて、反射波に起因するノイズ（リンギング）が発生し易い。
【０００４】
このノイズを低減するため、例えば、従来のジョイントコネクタの一つは、ハウジングに保持された複数の端子の全てに対応してノイズを低減するノイズ低減部材がそれぞれ設けられている（例えば、特許文献１を参照）。このように、複数の端子の全てに対応してノイズ低減部材がそれぞれ設けられているので、１種類のジョイントコネクタを多種類の電気回路に共通して使用することができる。
【先行技術文献】
【特許文献】
【０００５】
【特許文献１】特開２０１２−６９２７０号公報
【発明の概要】
【発明が解決しようとする課題】
【０００６】
幹線から支線を分岐させるためにジョイントコネクタが使用される場合、支線と比べて端末抵抗が小さい幹線ではノイズが発生し難い。また、複数の支線のうちで長さが短いものでは、端末抵抗が小さくなるので、幹線と同様にノイズが発生し難い。換言すれば、ジョイントコネクタが有する複数の端子のうちで、ノイズ低減部材を配置する必要性が低い端子が存在し得る。
【０００７】
上述した従来のジョイントコネクタでは、ノイズ低減部材を配置する必要性が低い端子が存在し得るにもかかわらず、複数の端子の全てに対応してノイズ低減部材がそれぞれ設けられている。このことは、ジョイントコネクタ全体として肥大化・高コスト化に繋がる。このようなジョイントコネクタの肥大化・高コスト化は、できる限り避けることが望ましい。
【０００８】
本発明は、上述した事情に鑑みてなされたものであり、その目的は、肥大化・高コスト化を抑制し得るコネクタを提供することにある。
【課題を解決するための手段】
【０００９】
前述した目的を達成するために、本発明に係るコネクタは、下記（１）〜（４）を特徴としている。
（１）
相手側コネクタの相手側ハウジングと嵌合可能なハウジングと、
前記ハウジングに保持されると共に、互いに導通接続された複数の端子と、
前記ハウジングに保持されると共に、前記複数の端子のうち１つ又は複数の一部の端子に対応するように且つ前記一部の端子以外の１つ又は複数の残りの端子に対応しないように配置されて前記一部の端子から発生するノイズを低減するノイズ低減部材と、
を備えた、コネクタであること。
（２）
上記（１）に記載のコネクタにおいて、
前記相手側コネクタは、電気回路を構成する幹線及び支線と接続され、
前記複数の端子のうち２つの端子が、前記相手側ハウジングと前記ハウジングとの嵌合時にて前記幹線と電気的に接続される幹線接続用端子であり、前記２つの端子以外の１つ又は複数の残りの端子が、前記嵌合時にて前記支線と電気的に接続される支線接続用端子であり、
２つの前記幹線接続用端子の双方に対応して前記ノイズ低減部材が配置されず、
１つ又は複数の前記支線接続用端子の一部又は全部に対応して前記ノイズ低減部材が配置される、
コネクタであること。
（３）
上記（２）記載のコネクタにおいて、
前記複数の端子のうち前記ノイズ低減部材が配置された複数の前記端子の全てが隣接して配置され、
前記ノイズ低減部材が１つの塊で構成される、
コネクタであること。
（４）
上記（１）〜（３）の何れか１つに記載のコネクタにおいて、
前記ノイズ低減部材は、フェライトを含んで構成される、
コネクタであること。
【００１０】
上記（１）の構成のコネクタ（ジョイントコネクタ）によれば、複数の端子のうち一部の端子のみに対応してノイズ低減部材が設けられる。換言すれば、複数の端子のうち、ノイズが比較的発生し難い端子にはノイズ低減部材を配置せずに、ノイズが比較的発生し易い端子のみにノイズ低減部材を配置することができる。このため、上述した従来のコネクタと比べて、コネクタ全体としての肥大化・高コスト化を抑制することができる。
【００１１】
上記（２）の構成のコネクタによれば、ノイズが発生し難い幹線接続用端子にはノイズ低減部材が配置されず、ノイズが発生し易い支線接続用端子の一部又は全部にノイズ低減部材が配置され得る。従って、幹線から支線を分岐させるためにコネクタが使用される場合において、ノイズが比較的発生し易い端子のみにノイズ低減部材を適切に配置することができる。
【００１２】
更には、幹線を介して複数のコネクタを直列に接続する場合において、複数のコネクタを介挿しながら延びる幹線内にて、ノイズ低減部材が多数箇所に配置されない。このため、幹線の一端側から他端側に信号が伝達される場合において、ノイズ低減部材が幹線内の多数箇所に配置されることに起因して信号の入力波形に対する出力波形の乱れが過度に大きくなる現象が発生し難くなる（この点については後に詳述する）。
【００１３】
上記（３）の構成のコネクタによれば、ノイズ低減部材が配置された複数の端子それぞれに対応してノイズ低減部材が個別に配置される態様と比べて、ノイズ低減部材の取り付け作業などを簡素化することが可能である。
【００１４】
上記（４）の構成のコネクタによれば、ノイズ低減部材は、ノイズ低減能力が非常に高いフェライトを含んで構成されるので、ノイズ低減作用を安定して確実に発揮することができる。
【発明の効果】
【００１５】
本発明によれば、肥大化・高コスト化を抑制し得るコネクタを提供できる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】図１は、本発明の実施形態に係るコネクタの分解斜視図である。
【図２】図２は、図１に示したコネクタを幹線を介して直列に接続した構成を示す模式図である。
【図３】図３は、ノイズ低減部材が何れの端子にも配置されない第１比較例についての図２に対応する図である。
【図４】図４は、図３に示した第１比較例についての幹線における入出力波形の一例を示すグラフである。
【図５】図５は、ノイズ低減部材が全ての端子にそれぞれ配置される第２比較例についての図２に対応する図である。
【図６】図６は、図５に示した第２比較例についての幹線における入出力波形の一例を示すグラフである。
【図７】図７は、図２に示した構成についての幹線における入出力波形の一例を示すグラフである。
【図８】図８は、ノイズ低減部材が全ての端子にそれぞれ配置され且つ幹線から分岐する支線の数が多い第３比較例についての図２に対応する図である。
【図９】図９は、図８に示した第３比較例を車両に搭載した場合における幹線及び支線の配策の一例を示す模式図である。
【図１０】図１０は、図２に示した構成を車両に搭載した場合における幹線及び支線の配策の一例を示す模式図である。
【図１１】図１１は、本発明の実施形態の変形例に係るコネクタの図１に対応する図である。
【発明を実施するための形態】
【００１８】
本発明に関する具体的な実施形態について、各図を参照しながら以下に説明する。
【００１９】
＜実施形態＞
以下、図面を参照しながら、本発明の実施形態に係るコネクタ１について説明する。コネクタ１は、互いに導通接続された複数の端子を備えており、ジョイントコネクタとも呼ばれる。コネクタ１は、典型的には、電気回路を構成する幹線から支線を分岐させるために、幹線及び支線と接続された相手側コネクタと嵌合されて使用される（後述する図２等を参照）。電気回路を構成する幹線及び支線の各々は、「２線式作動電圧方式」で信号を伝達するための２本線（ツイスト線）で構成される。
【００２０】
図１に示すように、本発明の実施形態に係るコネクタ１は、ハウジング１０と、ハウジング１０に保持されるバスバー２０と、ハウジング１０に保持されるノイズ低減部材３０と、を備える。以下、説明の便宜上、図１に示すように、「嵌合方向」、「幅方向」、「上下方向」、「前」、「後」、「上」、及び「下」を定義する。「嵌合方向」、「幅方向」及び「上下方向」は、互いに直交する。
【００２１】
樹脂製のハウジング１０は、インナハウジング１１と、インナハウジング１１に対して前方から組み付けられるアウタハウジング１２と、インナハウジング１１に対して後方から組み付けられるカバー１３、とから構成される。
【００２２】
インナハウジング１１は、略直方体状の形状を有しており、その前端面には、ノイズ低減部材３０を保持するためのノイズ低減部材保持室１４が形成されている。本例では、２つのノイズ低減部材保持室１４が幅方向に並ぶように形成されている。各ノイズ低減部材保持室１４は、ノイズ低減部材３０の形状に応じた形状を有する前方に開口する直方体状の凹部である。各ノイズ低減部材保持室１４の底壁（後側壁）には、バスバー２０の端子２１（２１ａ）を挿通するための前後方向に延びる貫通孔（図示省略）が上下方向の２箇所に形成されている。
【００２３】
インナハウジング１１における２つのノイズ低減部材保持室１４より幅方向外側の両側端部には、バスバー２０の端子２１（２１ｂ）を挿通するための前後方向に延びる貫通孔１５が上下方向の２箇所にそれぞれ（合計４つ）形成されている。インナハウジング１１の幅方向両側面には、アウタハウジング１２を係止するための係止凸部１６が幅方向外側に突出するようにそれぞれ形成されている。
【００２４】
ノイズ低減部材３０は、バスバー２０の端子２１に発生するノイズ（具体的には、反射波に起因するノイズ等）を低減するためにバスバー２０の端子２１（２１ａ）に対応して配置される部材である。ノイズ低減部材３０は、ノイズ低減部材保持室１４の形状に応じた略直方体状の形状を有する塊であり、本例では、フェライトで構成されている。なお、ノイズ低減部材３０は、フェライトを含む材料で構成されることが好ましいが、端子２１に発生するノイズを低減可能な材料である限りにおいて任意の材料で構成され得る。
【００２５】
ノイズ低減部材３０には、上下方向の２箇所に端子２１を挿通するための貫通孔３１が形成されている。ノイズ低減部材３０は、２つのノイズ低減部材保持室１４それぞれに対して個別に、前方から挿入され保持される。ノイズ低減部材３０がノイズ低減部材保持室１４に保持された状態では、上側及び下側の貫通孔３１がそれぞれ、ノイズ低減部材保持室１４の底壁に形成された上側及び下側の貫通孔と同軸的に配置される。
【００２６】
アウタハウジング１２は、略矩形筒状の形状を有しており、インナハウジング１１を内挿するように、インナハウジング１１に対して前方から組み付けられる。アウタハウジング１２の組付完了状態では、アウタハウジング１２の幅方向両側壁に設けられた一対の係止爪１７がインナハウジング１１の一対の係止凸部１６と係合することで、当該組付完了状態が維持される（アウタハウジング１２からインナハウジング１１の抜けが防止される）。
【００２７】
金属製のバスバー２０は、接地線用のバスバー２０ｓと、ＧＮＤ線用のバスバー２０ｇとを備える。バスバー２０ｓ、２０ｇは同形である。以下、特に区別する必要がある場合を除いて、バスバー２０ｓ、２０ｇそれぞれをバスバー２０と呼ぶ。
【００２８】
バスバー２０は、互いに平行に並ぶ複数（本例では、４本）の端子２１（オス端子）と、複数の端子２１の後端部を連結する連結部２２と、から構成される。以下、説明の便宜上、４本の端子２１のうち、幅方向内側の２本の端子を「端子２１ａ」と呼び、幅方向外側の２本の端子を「端子２１ｂ」と呼ぶこともある。
【００２９】
バスバー２０ｓは、端子２１ａがノイズ低減部材保持室１４の底壁に形成された上側の貫通孔及びノイズ低減部材３０の上側の貫通孔３１を挿通し、端子２１ｂが上側の貫通孔１５を挿通するように、後方からインナハウジング１１に挿入され、バスバー２０ｇは、端子２１ａがノイズ低減部材保持室１４の底壁に形成された下側の貫通孔及びノイズ低減部材３０の下側の貫通孔３１を挿通し、端子２１ｂが下側の貫通孔１５を挿通するように、後方からインナハウジング１１に挿入される。
【００３０】
挿入されたバスバー２０ｓ，２０ｇは、それぞれの連結部２２がインナハウジング１１の所定箇所に圧入されることで、上下２段で互いに平行な状態にてインナハウジング１１にそれぞれ固定される。バスバー２０ｓ，２０ｇの固定が完了した状態では、幅方向内側の２本の端子２１ａが上下２段で、ノイズ低減部材３０の前面から前方へ突出している。インナハウジング１１の両側端部では、幅方向外側の２本の端子２１ｂが上下２段で、貫通孔１５の開口から前方へ突出している。
【００３１】
換言すれば、バスバー２０の４本の端子２１それぞれについて、信号線用の上側の端子２１とＧＮＤ線用の下側の端子２１とが上下２段でインナハウジング１１の前端面から前方へ突出している。インナハウジング２１の前端面から突出する複数の端子２１（上下２段で合計８本の端子２１）は、アウタハウジング１２の内部空間内に位置している。これにより、合計８本の端子２１は、アウタハウジング１２によって外部から保護される。
【００３２】
このように、２つのノイズ低減部材保持室１４にノイズ低減部材３０がそれぞれ保持されることで、バスバー２０の４本の端子２１のうち、幅方向内側の２本の端子２１ａそれぞれについて、２本線（ツイスト線）用の上下２段の端子２１ａ間を跨ぐようにノイズ低減部材３０が配置される。この結果、これら２本の端子２１ａに発生するノイズが低減され得る。
【００３３】
本例では、バスバー２０の４本の端子２１のうち、対応するノイズ低減部材保持室１４がインナハウジング１１に設けられている幅方向内側の２本の端子２１ａについて、対応するノイズ低減部材保持室１４にノイズ低減部材３０が保持されることで、ノイズ低減部材３０が配置される。
【００３４】
一方、バスバー２０の４本の端子２１のうち、幅方向外側の２本の端子２１ｂについては、対応するノイズ低減部材保持室１４が設けられていない。このため、これら２本の端子２１ｂについては、ノイズ低減部材３０が配置されない。
【００３５】
カバー１３は、前方に開口する矩形の箱状の形状を有しており、インナハウジング１１に組み付けられたアウタハウジング１２を内挿するように、インナハウジング１１に対して後方から組み付けられる。カバー１３の組付完了状態では、カバー１３の４隅位置に設けられた上下２対の係止爪１９がアウタハウジング１２の上下壁に設けられた上下２対の係止凸部１８と係合することで、当該組付完了状態が維持される（カバー１３のインナハウジング１１からの抜けが防止される）。このようにカバー１３が設けられることで、バスバー２０の脱落が防止され得、また、インナハウジング１１内へのダストの進入が防止され得る。
【００３６】
以上説明したように、本実施形態に係るコネクタ１によれば、バスバー２０の４本の端子２１のうち幅方向内側の２本の端子２１ａに対応してノイズ低減部材３０が設けられ、バスバー２０の４本の端子２１のうち幅方向外側の２本の端子２１ｂについてはノイズ低減部材３０が設けられていない。換言すれば、ノイズが比較的発生し易い端子として２本の端子２１ａを選択し、ノイズが比較的発生し難い端子として２本の端子２１ｂを選択すれば、バスバー２０の４本の端子２１のうち、ノイズが比較的発生し難い２本の端子２１ｂにはノイズ低減部材３０を配置せずに、ノイズが比較的発生し易い２本の端子２１ａのみにノイズ低減部材３０を配置することができる。
【００３７】
このため、上述した従来のコネクタのように、全ての端子に対応してノイズ低減部材保持室が設けられ、全ての端子に対応してノイズ低減部材が配置される場合と比べて、コネクタ１全体としての肥大化・高コスト化を抑制することができる。
【００３８】
以下、このコネクタ１が、電気回路を構成する幹線から支線を分岐させるために使用される場合について説明する。この場合、図２に示すように、コネクタ１は、電気回路の幹線Ｗ１及び支線Ｗ２と接続された相手側コネクタ４０と嵌合されて使用される。以下、コネクタ１と相手側コネクタ４０とが嵌合して一体化されたコネクタを「分岐コネクタ」と呼ぶこともある。
【００３９】
なお、図２において、白丸は、電装品を表している（図３，５，８，９，１０についても同様）。また、図２では、幹線Ｗ１及び支線Ｗ２の各々は、１本の実線で表されているが、実際には、上述したように、２本線（ツイスト線）で構成されている（図３，５，８，９，１０についても同様）。
【００４０】
相手側コネクタ４０のハウジング内には、２本の幹線Ｗ１及び２本の支線Ｗ２と接続された４本の端子（２本線（ツイスト線）を構成する各電線の端子を区別して数えれば、合計８本の端子。具体的には、メス端子）が収容されている。
【００４１】
相手側コネクタ４０のハウジングは、コネクタ１のアウタハウジング１２に対して、内挿されるように嵌合される。この結果、相手側コネクタ４０のハウジングに収容された４本の端子（メス端子）がコネクタ１の４本の端子２１と電気的にそれぞれ接続されることで、幹線Ｗ１と支線Ｗ２とが電気的に接続されて、１つのコネクタ１（即ち、１つの分岐コネクタ）について、幹線Ｗ１から２本の支線Ｗ２が分岐する電気回路が形成される。
【００４２】
図２に示す例では、バスバー２０の４本の端子２１のうち、幅方向内側の２本の端子２１ａが、相手側コネクタ４０を介して支線Ｗ２と接続され、幅方向外側の２本の端子２１ｂが、相手側コネクタ４０を介して幹線Ｗ１と接続されている。このため、以下、端子２１ａを「支線接続用端子２１ａ」と呼び、端子２１ｂを「幹線接続用端子２１ｂ」と呼ぶこともある。
【００４３】
図２に示す例では、バスバー２０の４本の端子２１のうち、２本の支線接続用端子２１ａに対してノイズ低減部材３０が配置され、２本の幹線接続用端子２１ｂに対してノイズ低減部材３０が配置されていない。更に、３つの分岐コネクタ（コネクタ１＋相手側コネクタ４０）が、幹線Ｗ１を介して直列に接続されている。
【００４４】
以下、図２に示した構成の作用・効果を説明するための準備として、先ず、図３に示すように、バスバー２０の４本の端子２１の全てに対してノイズ低減部材３０が配置されず、且つ、３つの分岐コネクタが幹線Ｗ１を介して直列に接続された第１比較例について説明する。
【００４５】
一般に、この第１比較例のように、幹線Ｗ１から支線Ｗ２が分岐する電気回路では、主として、端末抵抗が幹線Ｗ１より大きい支線Ｗ２にて、反射波に起因するノイズ（リンギング）が発生し易い。このように主として支線Ｗ２にて反射波が発生したとしても、第１比較例では、バスバー２０の４本の端子２１の全てに対してノイズ低減部材３０が配置されていないので、ノイズを低減することができない。
【００４６】
このため、図３にて矢印で示すように、幹線Ｗ１の入力側（左側）から出力側（右側）に信号が伝達される場合において、例えば、幹線Ｗ１の入力側から、図４に示すように、急峻に変化する矩形状の入力波形（破線を参照）を有する信号が与えられた場合、幹線Ｗ１の出力側における信号の出力波形（実線を参照）では、入力波形が変化するタイミングが到来する毎に、その直後にて比較的大きなノイズが発生し易い。
【００４７】
次に、図５に示すように、バスバー２０の４本の端子２１の全てに対してノイズ低減部材３０が配置され、且つ、３つの分岐コネクタが幹線Ｗ１を介して直列に接続された第２比較例について説明する。第２比較例では、２本の支線接続用端子２１ａのみならず２本の幹線接続用端子２１ｂに対してもノイズ低減部材３０が配置されている。
【００４８】
第２比較例において、図４に示したパターンと同じパターンで、幹線Ｗ１の入力側から矩形状の入力波形を有する信号が与えられた場合、図６に示すように、幹線Ｗ１の出力側における信号の出力波形（実線を参照）において、ノイズ（リンギング）は十分に低減される一方で、入力波形に対する出力波形の乱れ（遅れ）が過度に大きくなる。
【００４９】
この現象は、第２比較例では、幹線Ｗ１の入力側（左側）から出力側（右側）まで信号が伝達される経路の途中における多数の箇所（具体的には、１つのコネクタ１について２箇所、合計６箇所）にてノイズ低減部材３０が配置されていることで、ノイズ低減部材３０によるノイズ低減作用（いわゆるローパスフィルタの作用と類似の作用）が過度に効いてしまうことに起因する、と考えられる。
【００５０】
これら第１、第２比較例に対し、図２に示した構成において、図４に示したパターンと同じパターンで、幹線Ｗ１の入力側から矩形状の入力波形を有する信号が与えられた場合、図７に示すように、幹線Ｗ１の出力側における信号の出力波形（実線を参照）において、入力波形が変化するタイミングが到来しても、その直後にて図４にて示したような比較的大きなノイズは発生しない。加えて、図６に示したような入力波形に対する出力波形の乱れ（遅れ）も発生しない。
【００５１】
これは、ノイズが発生し易い２本の支線接続用端子２１ａに対してノイズ低減部材３０が配置され、ノイズが発生し難い２本の幹線接続用端子２１ｂに対してノイズ低減部材３０が配置されないことで、ノイズ低減部材３０によるノイズ低減作用が適度に効いたことに起因する、と考えられる。
【００５２】
以下、図２に示した構成の更なる別の作用・効果について説明する。先ず、その準備として、図８に示す第３比較例のように、１つのコネクタ１（即ち、１つの分岐コネクタ）について、幹線Ｗ１から分岐する支線Ｗ２の本数が過度に多い場合（第３比較例では、６本）について説明する。
【００５３】
このように、１つの分岐コネクタから分岐する支線Ｗ２の本数が過度に多い場合、それぞれの支線Ｗ２からの反射波が１つの分岐コネクタに集中する。従って、図８に示すように、１つのコネクタ１の全ての端子２１にノイズ低減部材３０を配置したとしてもなお、上述した図４に示すように、比較的大きなノイズ（リンギング）が発生し易い。
【００５４】
更に、図９に示すように、車両において、幹線Ｗ１から分岐する支線Ｗ２の本数が過度に多い分岐コネクタを使用して、幹線Ｗ１及び支線Ｗ２を配策する場合、支線Ｗ２が幹線Ｗ１と並走する箇所（図９において破線の楕円で示した箇所等を参照）が多くなる。支線Ｗ２が幹線Ｗ１と並走する箇所では、電線束（ワイヤハーネス）が肥大化する。即ち、電線束（ワイヤハーネス）が肥大化する箇所が多くなる。
【００５５】
加えて、分岐コネクタから比較的遠距離に位置する電装品の個数が多くなるため、分岐コネクタと電装品とを繋ぐ支線Ｗ２の長さの総和が大きくなる。即ち、電線（ワイヤハーネス）の総路長及び総質量が大きくなる。
【００５６】
これに対し、図２に示した構成では、１つの分岐コネクタから分岐する支線Ｗ２の本数が比較的少ない（具体的には、２本）。このため、図１０に示すように、車両において、多数の電装品の配置に対応して多数の分岐コネクタを分散して配置することができる。この結果、支線Ｗ２が幹線Ｗ１と並走する箇所が少なくなる（図１０に示す例では、存在せず）ので、電線束（ワイヤハーネス）が肥大化する箇所が少なくなる。
【００５７】
加えて、分岐コネクタから比較的遠距離に位置する電装品の個数が少なくなるため、分岐コネクタと電装品とを繋ぐ支線Ｗ２の長さの総和が小さくなる。即ち、電線（ワイヤハーネス）の総路長及び総質量が小さくなる。
【００５８】
更には、１つの分岐コネクタから分岐する支線Ｗ２の本数が少ないため、それぞれの支線Ｗ２からの反射波が１つの分岐コネクタに集中し難い。従って、幹線接続用端子２１ｂに対してノイズ低減部材３０を配置しなくても、上述したように、ノイズを十分且つ適切に低減することができる。
【００５９】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６０】
例えば、上記実施形態では、図１に示すように、２つのノイズ低減部材３０が、２つのノイズ低減部材保持室１４に対して個別に収容・保持されることで、互いに隣接する２つの端子２１ａに対してノイズ低減部材３０が配置されている。これに対して、図１１に示すように、１つのノイズ低減部材３０（１つの塊）が、１つのノイズ低減部材保持室１４に対して収容・保持されることで、互いに隣接する２つの端子２１ａに対してノイズ低減部材３０が配置されるように構成してもよい。この場合、図１に示す構成と比べて、ノイズ低減部材３０の個数が減少するので、ノイズ低減部材３０の取り付け作業などを簡素化することが可能である。
【００６１】
更に、図２に示した構成では、直列に接続された３つのコネクタ１に含まれる何れの幹線接続用端子２１ｂに対しても、ノイズ低減部材３０が配置されていない。これに対し、直列に接続された複数のコネクタ１に含まれる複数の幹線接続用端子２１ｂのうち一部の幹線用接続端子２１ｂに対してノイズ低減部材３０が配置されていてもよい。
【００６２】
更に、図２に示した構成では、コネクタ１に含まれる全ての支線接続用端子２１ａについてノイズ低減部材３０が配置されている。これに対し、コネクタ１に含まれる複数の支線接続用端子２１ａのうち一部の支線接続用端子２１ａについてノイズ低減部材３０が配置されていなくてもよい。
【００６３】
更に、図２に示した構成では、コネクタ１側の端子２１がオス端子であり、相手側コネクタ４０側の端子がメス端子であるが、コネクタ１側の端子２１がメス端子であり、相手側コネクタ４０側の端子がオス端子であってもよい。
【００６４】
ここで、上述した本発明に係るコネクタ１の実施形態の特徴を以下（１）〜（４）に簡潔に纏めて列記する。
（１）
相手側コネクタ（４０）の相手側ハウジングと嵌合可能なハウジング（１０）と、
前記ハウジング（１０）に保持されると共に、互いに導通接続された複数の端子（２１）と、
前記ハウジング（１０）に保持されると共に、前記複数の端子（２１）のうち１つ又は複数の一部の端子（２１ａ）に対応するように且つ前記一部の端子（２１ａ）以外の１つ又は複数の残りの端子（２１ｂ）に対応しないように配置されて前記一部の端子（２１ａ）から発生するノイズを低減するノイズ低減部材（３０）と、
を備えた、コネクタ（１）。
（２）
上記（１）に記載のコネクタ（１）において、
前記相手側コネクタ（４０）は、電気回路を構成する幹線（Ｗ１）及び支線（Ｗ２）と接続され、
前記複数の端子（２１）のうち２つの端子が、前記相手側ハウジングと前記ハウジング（１０）との嵌合時にて前記幹線（Ｗ１）と電気的に接続される幹線接続用端子（２１ｂ）であり、前記２つの端子以外の１つ又は複数の残りの端子が、前記嵌合時にて前記支線（Ｗ２）と電気的に接続される支線接続用端子（２１ａ）であり、
２つの前記幹線接続用端子（２１ｂ）の双方に対応して前記ノイズ低減部材（３０）が配置されず、
１つ又は複数の前記支線接続用端子（２１ａ）の一部又は全部に対応して前記ノイズ低減部材（３０）が配置される、
コネクタ（１）。
（３）
上記（２）記載のコネクタ（１）において、
前記複数の端子（２１）のうち前記ノイズ低減部材（３０）が配置された複数の前記端子（２１ａ）の全てが隣接して配置され、
前記ノイズ低減部材（３０）が１つの塊で構成される、
コネクタ（１）。
（４）
上記（１）〜（３）の何れか１つに記載のコネクタ（１）において、
前記ノイズ低減部材（３０）は、フェライトを含んで構成される、
コネクタ（１）。
【符号の説明】
【００６５】
１    コネクタ
１０    ハウジング
２１    端子
２１ａ  支線接続用端子
２１ｂ  幹線接続用端子
３０    ノイズ低減部材
４０    相手側コネクタ
Ｗ１    幹線
Ｗ２    支線
【図１】
2019067734.tif 000003
【図２】
2019067734.tif 000004
【図３】
2019067734.tif 000005
【図４】
2019067734.tif 000006
【図５】
2019067734.tif 000007
【図６】
2019067734.tif 000008
【図７】
2019067734.tif 000009
【図８】
2019067734.tif 000010
【図９】
2019067734.tif 000011
【図１０】
2019067734.tif 000012
【図１１】
2019067734.tif 000013